(57)【要約】【課題】小型化、薄型化する場合であっても、レンズおよび撮像素子を搭載したレンズ駆動装置を揺動させるための十分な駆動力を得ることが可能な撮影用光学装置を提供すること。【解決手段】撮影用光学装置１は、レンズ駆動装置２と、レンズ駆動装置２を揺動させて手振れを補正する手振れ補正機構とを備えている。手振れ補正機構は、互いに対向配置される駆動用コイル２３と駆動用磁石とからなるレンズ駆動装置２の揺動駆動機構を備えている。駆動用コイル２３は、導線が周方向に巻回されて形成される巻回部２３ａと、駆動用コイル２３の巻き始め部分または巻き終わり部分が巻回部２３ａと交差するように内周側から外周側に向かって引き出されて形成される引出し部２３ｄとを備えている。駆動用コイル２３が取り付けられるコイル取付部材１６には、引出し部２３ｄを配置するための開口部１６ａが形成されている。【選択図】図１
2010096806.tif 000002
【特許請求の範囲】
【請求項１】
レンズと撮像素子と前記レンズを駆動するレンズ駆動機構とを搭載したレンズ駆動装置と、前記レンズ駆動装置の傾きを検出するセンサと、前記センサでの検出結果に基づいて前記レンズ駆動装置を揺動させて手振れを補正する手振れ補正機構とを備え、
前記手振れ補正機構は、前記レンズ駆動装置を揺動させる揺動駆動機構を備え、
前記揺動駆動機構は、互いに対向配置される駆動用コイルと駆動用磁石とを備え、
前記駆動用コイルは、導線が周方向に巻回されて形成される巻回部と、前記駆動用コイルの巻き始め部分または巻き終わり部分が前記巻回部と交差するように内周側から外周側に向かって引き出されて形成される引出し部とを備え、
前記駆動用コイルが取り付けられるコイル取付部材には、前記引出し部を配置するための凹部または開口部が形成されていることを特徴とする撮影用光学装置。
【請求項２】
前記コイル取付部材は、前記撮影用光学装置の外周面を構成するケース体であり、
前記駆動用コイルは、前記引出し線が配置される側の面が前記ケース体の内周面と対向するように、前記ケース体の内周面に固定されていることを特徴とする請求項１記載の撮影用光学装置。
【請求項３】
前記ケース体には、前記開口部が形成されていることを特徴とする請求項２記載の撮影用光学装置。
【発明の詳細な説明】
【技術分野】
【０００１】
本発明は、レンズおよび撮像素子を搭載したレンズ駆動装置を揺動させて手振れを補正する手振れ補正機能を有する撮影用光学装置に関する。
【背景技術】
【０００２】
近年、携帯電話等の携帯機器には、撮影用光学装置が搭載されている。携帯機器の場合、撮影時に手振れが発生しやすい。そこで、撮影時の手振れを補正することが可能な光学装置が提案されている（たとえば、特許文献１参照）。
【０００３】
この特許文献１に記載の光学装置は、レンズや撮像素子を搭載した可動部と、光学装置の基台に固定されるとともに可動部の底面に当接するピボット軸と、基台に固定されるとともに可動部を揺動可能に支持する板バネと、可動部を揺動させるための揺動機構とを備えている。この光学装置では、揺動機構の駆動力で、可動部がピボット軸を支点に揺動して、手振れが補正されている。なお、この光学装置では、揺動機構は、駆動用コイルと駆動用磁石とによって構成されている。
【０００４】
【特許文献１】特開２００７−３１００８４号公報
【発明の開示】
【発明が解決しようとする課題】
【０００５】
近年、携帯電話等の携帯機器の市場では、携帯機器の小型化、薄型化の要求が一段と高まっており、その結果、携帯機器に搭載される撮影用光学装置の小型化、薄型化の要求も一段と高まっている。しかしながら、撮影用光学装置が小型化、薄型化すると、レンズや撮像素子を搭載した可動部を揺動させるための駆動用コイルや駆動用磁石の配置スペースが制約されるため、可動部を揺動させるための十分な駆動力を得ることが困難になる。
【０００６】
そこで、本発明の課題は、小型化、薄型化する場合であっても、レンズおよび撮像素子を搭載したレンズ駆動装置を揺動させるための十分な駆動力を得ることが可能な撮影用光学装置を提供することにある。
【課題を解決するための手段】
【０００７】
上記の課題を解決するため、本発明の撮影用光学装置は、レンズと撮像素子とレンズを駆動するレンズ駆動機構とを搭載したレンズ駆動装置と、レンズ駆動装置の傾きを検出するセンサと、センサでの検出結果に基づいてレンズ駆動装置を揺動させて手振れを補正する手振れ補正機構とを備え、手振れ補正機構は、レンズ駆動装置を揺動させる揺動駆動機構を備え、揺動駆動機構は、互いに対向配置される駆動用コイルと駆動用磁石とを備え、駆動用コイルは、導線が周方向に巻回されて形成される巻回部と、駆動用コイルの巻き始め部分または巻き終わり部分が巻回部と交差するように内周側から外周側に向かって引き出されて形成される引出し部とを備え、駆動用コイルが取り付けられるコイル取付部材には、引出し部を配置するための凹部または開口部が形成されていることを特徴とする。
【０００８】
本発明の撮影用光学装置では、駆動用コイルが取り付けられるコイル取付部材に、駆動用コイルに形成される引出し部を配置するための凹部または開口部が形成されている。そのため、駆動用コイルの、駆動用磁石との対向面と反対側の面（すなわち、コイル取付部材への取付面）に引出し部を配置するとともに、凹部または開口部の中に引出し部を配置した状態で、コイル取付部材に駆動用コイルを取り付けることができる。したがって、駆動用コイルの、駆動用磁石との対向面に引出し部が配置された状態でコイル取付部材に駆動用コイルが取り付けられる場合と比較して、凹部または開口部に配置される引出し部の厚さ分だけ駆動用コイルを厚くして駆動用コイルの巻回数を増やすことが可能になるとともに、駆動用コイルの駆動用磁石との対向面と駆動用磁石の駆動用コイルとの対向面との隙間を小さくすることが可能になる。その結果、本発明では、揺動駆動機構の駆動力を向上させることが可能になり、撮影用光学装置が小型化、薄型化する場合であっても、レンズ駆動装置を揺動させるための十分な駆動力を得ることが可能になる。
【０００９】
本発明において、たとえば、コイル取付部材は、撮影用光学装置の外周面を構成するケース体であり、駆動用コイルは、引出し線が配置される側の面がケース体の内周面と対向するように、ケース体の内周面に固定されている。この場合には、ケース体には、開口部が形成されていることが好ましい。このように構成すると、たとえば、ケース体の側面に開口部となる貫通孔を形成すれば良いため、ケース体の内周面に凹部を形成する場合と比較して、ケース体の製造が容易になる。
【発明の効果】
【００１０】
以上のように、本発明の撮影用光学装置では、小型化、薄型化する場合であっても、レンズおよび撮像素子を搭載したレンズ駆動装置を揺動させるための十分な駆動力を得ることが可能になる。
【発明を実施するための最良の形態】
【００１１】
以下、本発明の実施の形態を図面に基づいて説明する。
【００１２】
（撮影用光学装置の構成）
図１は、本発明の実施の形態にかかる撮影用光学装置１の斜視図である。図２は、図１のＥ−Ｅ断面の断面図である。図３は、図１に示す駆動用コイル２３と開口部１６ａとの関係を説明するための図である。図４は、図１に示す駆動用コイル２３の結線状態を説明するための図である。
【００１３】
なお、以下の説明では、図１に示すように、互いに直交する３方向のそれぞれをＸ方向、Ｙ方向およびＺ方向とする。また、図１のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。本形態では、Ｚ方向は、揺動していないときの撮影用光学装置１の光軸の方向（光軸方向）である。
【００１４】
本形態の撮影用光学装置１は、携帯電話等の携帯機器に搭載される小型かつ薄型のカメラであり、全体として略直方体状に形成されている。この撮影用光学装置１は、図１、図２に示すように、図示を省略するレンズおよび撮像素子を搭載したレンズ駆動装置２と、レンズ駆動装置２の傾きを検出するセンサ４と、レンズ駆動装置２を支持する支持体５と、レンズ駆動装置２を揺動させる揺動駆動機構６とを備えている。
【００１５】
レンズ駆動装置２には、上述のように、レンズおよび撮像素子が搭載されている。具体的には、レンズ駆動装置２の上端側にレンズが搭載され、レンズ駆動装置２の下端に撮像素子が搭載されている。また、レンズ駆動装置２には、レンズを光軸方向に駆動するためのレンズ駆動機構が搭載されている。このレンズ駆動機構は、たとえば、駆動用のコイルと駆動用の磁石とによって構成されている。
【００１６】
レンズ駆動装置２は、全体として略直方体状に形成されている。このレンズ駆動装置２の前後および左右の側面は、下端が開口する底付きの略四角筒状に形成されたカバー部材９に覆われている。上端側に配置されるカバー部材９の底部には、円形の貫通孔９ａが形成されている。また、カバー部材９の下端には、前後方向の外側および左右方向の外側に向かって広がる鍔部９ｂが形成されている。カバー部材９の前後および左右の側面のそれぞれには、揺動駆動機構６を構成する後述の駆動用磁石２１が固定されている。
【００１７】
センサ４は、ジャイロセンサ（角速度センサ）であり、レンズ駆動装置２の下側に配置されている。このセンサ４には、フレキシブルプリント基板（ＦＰＣ）１０が接続されている。このＦＰＣ１０は、レンズ駆動装置２に搭載されている撮像素子にも接続されている。ＦＰＣ１０は、撮影用光学装置１の下端側で引き回されて、撮影用光学装置１の左側面から引き出されている。
【００１８】
また、センサ４は、上端が開口する底付きで扁平な略四角筒状に形成されたセンサカバー部材１１の内部に配置されている。下端側に配置されるセンサカバー部材１１の底部の中心には、後述の支点突起１５ｂが当接する当接面１１ａが平面状に形成されている。また、センサカバー部材１１の上端には、カバー部材９の鍔部９ｂに下側から当接する鍔部１１ｂが前後方向の外側および左右方向の外側に向かって広がるように形成されている。本形態では、鍔部９ｂと鍔部１１ｂとが互いに固定されている。すなわち、センサカバー部材１１は、カバー部材９の下端に固定されている。
【００１９】
本形態では、レンズ駆動装置２とセンサ４とカバー部材９とセンサカバー部材１１とが、支持体５に揺動可能に支持されている。すなわち、レンズ駆動装置２、センサ４、カバー部材９およびセンサカバー部材１１によって、支持体５に対して揺動可能な可動モジュール１２が構成されている。
【００２０】
支持体５は、撮影用光学装置１の下面を構成するベース体１５と、撮影用光学装置１の前後および左右の外周面を構成するケース体１６とを備えている。ケース体１６には、可動モジュール１２の揺動範囲を規制するためのストッパ部材１８が固定されている。ストッパ部材１８には、可動モジュール１２を揺動可能に支持する板バネ１７が固定されている。
【００２１】
ベース体１５は、略矩形状に形成されている。このベース体１５の略中心には、上側に向かって突出する突出部１５ａが形成されている。また、突出部１５ａの上面には、可動モジュール１２の揺動の支点となる支点突起１５ｂが形成されている。すなわち、本形態では、可動モジュール１２の下側に可動モジュール１２の揺動の支点が配置されている。この支点突起１５ｂは、たとえば、半球面状に形成されており、センサカバー部材１１の当接面１１ａに当接している。本形態では、支点突起１５ｂと当接面１１ａとによって、レンズ駆動装置２の揺動中心となる支点部１９が構成されている。
【００２２】
ケース体１６は、上端および下端が開口する略四角筒状に形成されている。このケース体１６の下端側には、ベース体１５が固定されている。ケース体１６の前後の側面および左右の側面の略中心には、揺動駆動機構６を構成する後述の駆動用コイル２３の引出し部２３ｄを配置するための開口部１６ａがそれぞれの側面を貫通するように形成されている。この開口部１６ａは、略矩形状に形成されている。また、開口部１６ａの高さ（図２の上下方向の幅）は、後述の駆動用コイル２３を構成する長辺部２３ｂの幅（図３の上下方向の幅）よりも大きく形成されている。なお、本形態のケース体１６は、非磁性の金属材料で形成されている。
【００２３】
板バネ１７は、全体として略矩形状に形成されている。板バネ１７の４隅はストッパ部材１８を介してケース体１６に固定され、板バネ１７の中心部には可動モジュール１２（具体的にはセンサカバー部材１１）が固定されている。この板バネ１７は、ケース体１６に固定される固定部と、可動モジュール１２を保持する保持部と、固定部と保持部とを繋ぐバネ部とを備えている。
【００２４】
なお、板バネ１７は、センサカバー部材１１の当接面１１ａとベース体１５の支点突起１５ｂとを確実に当接させるための与圧が発生するように（すなわち、可動モジュール１２を下方向へ付勢する付勢力が発生するように）、撓んだ状態でストッパ部材１８を介してケース体１６に固定されている。
【００２５】
ストッパ部材１８は、ケース体１６の内周面に固定されている。具体的には、カバー部材９の鍔部９ｂの上面に当接可能な位置およびセンサカバー部材１１の鍔部１１ｂの下面に当接可能な位置のそれぞれで、２個のストッパ部材１８がケース体１６の内周面に固定されており、ストッパ部材１８と鍔部９ｂ、１１ｂとによって、可動モジュール１２の揺動範囲が規制されている。
【００２６】
揺動駆動機構６は、駆動用磁石２１と、駆動用磁石２１に対向配置される駆動用コイル２３とを備えている。本形態の揺動駆動機構６は、４個の駆動用磁石２１と４個の駆動用コイル２３とを備えている。
【００２７】
駆動用磁石２１は、略矩形の板状に形成されている。また、駆動用磁石２１は、第１磁石片２１ａと第２磁石片２１ｂとの２個の磁石片によって構成されている。具体的には、第１磁石片２１ａの下面と第２磁石片２１ｂの上面とが当接した状態で、第１磁石片２１ａと第２磁石片２１ｂとが接着固定されて駆動用磁石２１が形成されている。
【００２８】
駆動用磁石２１は、カバー部材９の前後の側面および左右の側面のそれぞれに１個ずつ固定されている。すなわち、駆動用磁石２１は、カバー部材９の外周面に固定されており、ケース体１６の内部に配置されている。また、駆動用磁石２１は、レンズ駆動装置２とともに揺動する。上述のように、カバー部材９は、磁性材料で形成されており、カバー部材９は、駆動用磁石２１のバックヨークの機能を果たしている。
【００２９】
本形態では、カバー部材９の左右の側面に固定される駆動用磁石２１は、駆動用磁石２１の右面に形成される磁極と左面に形成される磁極とが異なるように着磁されている。また、カバー部材９の左右の側面に固定される駆動用磁石２１は、左右方向における第１磁石片２１ａの外側面に形成される磁極と第２磁石片２１ｂの外側面に形成される磁極とが異なるように（すなわち、左右方向における第１磁石片２１ａの内側面に形成される磁極と第２磁石片２１ｂの内側面に形成される磁極とが異なるように）着磁されている。
【００３０】
同様に、カバー部材９の前後の側面に固定される駆動用磁石２１は、駆動用磁石２１の前面に形成される磁極と後面に形成される磁極とが異なるように着磁されている。また、カバー部材９の前後の側面に固定される駆動用磁石２１は、前後方向における第１磁石片２１ａの外側面に形成される磁極と第２磁石片２１ｂの外側面に形成される磁極とが異なるように着磁されている。
【００３１】
たとえば、カバー部材９の右側面に固定される駆動用磁石２１の第１磁石片２１ａの右側面はＳ極、左側面はＮ極に着磁され、この駆動用磁石２１の第２磁石片２１ｂの右側面はＮ極、左側面はＳ極に着磁されている。同様に、カバー部材９の左側面に固定される駆動用磁石２１の第１磁石片２１ａの左側面はＳ極、右側面はＮ極に着磁され、この駆動用磁石２１の第２磁石片２１ｂの左側面はＮ極、右側面はＳ極に着磁されている。
【００３２】
また、たとえば、カバー部材９の後側面に固定される駆動用磁石２１の第１磁石片２１ａの後側面はＮ極、前側面はＳ極に着磁され、この駆動用磁石２１の第２磁石片２１ｂの後側面はＳ極、前側面はＮ極に着磁されている。同様に、カバー部材９の前側面に固定される駆動用磁石２１の第１磁石片２１ａの前側面はＮ極、後側面はＳ極に着磁され、この駆動用磁石２１の第２磁石片２１ｂの前側面はＳ極、後側面はＮ極に着磁されている。
【００３３】
駆動用コイル２３は、絶縁被膜と、この絶縁被膜の周りをさらに被覆する融着被膜とを有する導線２４（図４参照）が空芯状に巻回された（すなわち、ボビン等の巻芯を備えていない）空芯コイルである。この駆動用コイル２３は、絶縁性のフィルム２５を介してケース体１６の前後の側面および左右の側面のそれぞれに１個ずつ固定されている。すなわち、駆動用コイル２３は、ケース体１６の内周面にフィルム２５を介して固定されている。本形態のケース体１６は、駆動用コイル２３が取り付けられるコイル取付部材である。
【００３４】
本形態の駆動用コイル２３は、導線２４が略長方形状に巻回されて形成されている。すなわち、駆動用コイル２３は、図３に示すように、導線２４が周方向に巻回されて形成された巻回部２３ａを備えている。この巻回部２３ａは、２個の長辺部２３ｂと２個の短辺部２３ｃとから構成されている。
【００３５】
また、本形態では、ケース体１６の右側面に固定される駆動用コイル２３（以下、この駆動用コイル２３を他の駆動用コイル２３と区別して表す場合には、「駆動用コイル２３Ａ」とする。）と、ケース体１６の左側面に固定される駆動用コイル２３（以下、この駆動用コイル２３を他の駆動用コイル２３と区別して表す場合には、「駆動用コイル２３Ｂ」とする。）とは、図４に示すように、１本の導線２４によって構成されている。すなわち、１本の導線２４によって２個の巻回部２３ａが形成されている。
【００３６】
同様に、ケース体１６の前側面に固定される駆動用コイル２３と、ケース体１６の後側面に固定される駆動用コイル２３とは、１本の導線２４によって構成されている。なお、導線２４の端部は、図示を省略するフレキシブルプリント基板に接続されている。
【００３７】
駆動用コイル２３Ａには、図３、図４に示すように、駆動用コイル２３Ａの巻き始め部分が巻回部２３ａ（具体的には、長辺部２３ｂ）と交差するように内周側から外周側に向かって引き出される引出し部２３ｄが形成されている。また、駆動用コイル２３Ｂには、駆動用コイル２３Ａの巻き終わり部分に繋がる駆動用コイル２３Ｂの巻き始め部分（いわゆる渡り線の一端部分）が長辺部２３ｂと交差するように内周側から外周側に向かって引き出される引出し部２３ｄが形成されている。同様に、ケース体１６の前側面または後側面に固定される駆動用コイル２３にも、駆動用コイル２３の巻き始め部分が長辺部２３ｂと交差するように内周側から外周側に向かって引き出される引出し部２３ｄが形成されている。
【００３８】
上述のように、駆動用コイル２３は、ケース体１６の内周面に固定されている。具体的には、駆動用コイル２３の引出し部２３ｄが形成される側の面がケース体１６の内周面と対向するように、かつ、引出し部２３ｄが開口部１６ａの中に配置されるように、駆動用コイル２３は、ケース体１６の内周面に固定されている。また、駆動用コイル２３の短辺部２３ｃと上下方向とが一致するように、駆動用コイル２３がケース体１６に固定されている。なお、フィルム２５には、引出し部２３ｄが配置される切欠き部（図示省略）が開口部１６ａに対応する位置に形成されている。
【００３９】
図２に示すように、駆動用磁石２１と駆動用コイル２３とは所定の隙間をあけた状態で対向配置されている。具体的には、支点部１９を支点として可動モジュール１２が揺動しても、駆動用磁石２１と駆動用コイル２３とが接触しないように、駆動用磁石２１と駆動用コイル２３とが所定の隙間をあけた状態で対向配置されている。
【００４０】
本形態では、駆動用コイル２３に電流が供給されていないときには、図２に示すように、可動モジュール１２は、支持体５に対して傾いていない中立位置にある。また、本形態では、カバー部材９の左右の側面に固定される駆動用磁石２１の左右方向の外側面は、可動モジュール１２が中立位置にあるときに、下方向に向かうにしたがって左右方向の外側へ緩やかに広がるように傾斜しており、この駆動用磁石２１は、前後方向から見たときの断面形状が略台形状になるように形成されている。同様に、カバー部材９の前後の側面に固定される駆動用磁石２１の前後方向の外側面は、可動モジュール１２が中立位置にあるときに、下方向に向かうにしたがって前後方向の外側へ緩やかに広がるように傾斜しており、この駆動用磁石２１は、左右方向から見たときの断面形状が略台形状になるように形成されている。
【００４１】
また、本形態では、図２に示すように、上下方向における駆動用コイル２３の中心位置が第１磁石片２１ａと第２磁石片２１ｂとの当接面よりも上側に配置されるように、駆動用磁石２１と駆動用コイル２３とが対向配置されている。
【００４２】
以上のように構成された撮影用光学装置１では、センサ４で手振れが検出されると、センサ４での検出結果に基づいて、駆動用コイル２３に電流が供給され、可動モジュール１２が支点部１９を中心に揺動して、手振れが補正される。なお、本形態では、当接面１１ａと支点突起１５ｂとからなる支点部１９と、揺動駆動機構６と、板バネ１７とによって、センサ４での検出結果に基づいてレンズ駆動装置２を揺動させて手振れを補正する手振れ補正機構が構成されている。
【００４３】
（本形態の主な効果）
以上説明したように、本形態では、駆動用コイル２３に形成される引出し部２３ｄを配置するための開口部１６ａがケース体１６に形成されている。また、駆動用コイル２３の、引出し部２３ｄが形成される側の面がケース体１６の内周面と対向するように、かつ、引出し部２３ｄが開口部１６ａの中に配置されるように、駆動用コイル２３がケース体１６の内周面に固定されている。すなわち、駆動用コイル２３の、駆動用磁石２１との対向面には、引出し部２３ｄが配置されていない。
【００４４】
そのため、駆動用コイル２３の駆動用磁石２１との対向面に引出し部２３ｄが配置される場合と比較して、本形態では、引出し部２３ｄの厚さ分だけ駆動用コイル２３を厚くして駆動用コイル２３の巻回数を増やすことができるとともに、駆動用コイル２３の駆動用磁石２１との対向面と駆動用磁石２１の駆動用コイル２３との対向面との隙間を小さくすることができる。
【００４５】
すなわち、駆動用コイル２３の駆動用磁石２１との対向面に引出し部２３ｄが配置されていると、支点部１９を支点として可動モジュール１２が揺動したときに、駆動用磁石２１の駆動用コイル２３との対向面と駆動用コイル２３の引出し部２３ｄとが接触しないように、駆動用コイル２３の厚さを設定するとともに、駆動用磁石２１の駆動用コイル２３との対向面と駆動用コイル２３の引出し部２３ｄとの隙間を設定する必要がある。そのため、駆動用コイル２３の厚さは薄くなり、また、駆動用コイル２３の駆動用磁石２１との対向面（引出し部２３ｄを除いた部分）と駆動用磁石２１の駆動用コイル２３との対向面との間の隙間は広くなる。
【００４６】
これに対して、本形態では、支点部１９を支点として可動モジュール１２が揺動したときに、駆動用磁石２１の駆動用コイル２３との対向面と、駆動用コイル２３の駆動用磁石２１との対向面とが接触しないように、駆動用コイル２３の厚さを設定するとともに、駆動用磁石２１の駆動用コイル２３との対向面と駆動用コイル２３の駆動用磁石２１との対向面との隙間を設定することができるため、引出し部２３ｄの厚さ分だけ駆動用コイル２３を厚くして駆動用コイル２３の巻回数を増やすことができるとともに、駆動用コイル２３の駆動用磁石２１との対向面と駆動用磁石２１の駆動用コイル２３との対向面との隙間を小さくすることができる。
【００４７】
したがって、本形態では、揺動駆動機構６の駆動力を向上させることができ、撮影用光学装置１が小型化、薄型化する場合であっても、レンズ駆動装置２を揺動させるための十分な駆動力を得ることが可能になる。
【００４８】
本形態では、ケース体１６に、ケース体１６の側面を貫通する開口部１６ａが形成されている。そのため、たとえば、ケース体１６の内周面に引出し部２３ｄを配置するための凹部を形成する場合と比較して、ケース体１６の製造が容易になる。
【００４９】
本形態では、ケース体１６の開口部１６ａの高さ（上下方向の幅）は、駆動用コイル２３を構成する長辺部２３ｂの幅（上下方向の幅）よりも大きく形成されている。そのため、図３に示すように、開口部１６ａで露出した導線を開口部１６ａの下側部分からケース体１６の内周側に引き戻すことができる。したがって、駆動用コイル２３の巻回部２３ａと開口部１６ａの縁との間に導線が挟まれることなくなり、導線の断線や損傷を回避することができる。
【００５０】
（他の実施の形態）
上述した形態は、本発明の好適な形態の一例ではあるが、これに限定されるものではなく本発明の要旨を変更しない範囲において種々変形実施が可能である。
【００５１】
上述した形態では、駆動用コイル２３の引出し部２３ｄを配置するための開口部１６ａがケース体１６の側面に形成されている。この他にもたとえば、引出し部２３ｄを配置するための凹部がケース体１６の内周面から窪むように形成されても良い。
【００５２】
上述した形態では、駆動用磁石２１がカバー部材９に取り付けられ、駆動用コイル２３がケース体１６に取り付けられている。この他にもたとえば、駆動用磁石２１がヨークを介してケース体１６に取り付けられ、駆動用コイル２３がカバー部材９に取り付けられても良い。この場合には、カバー部材９に、駆動用コイル２３の引出し部２３ｄを配置するための凹部または開口部が形成される。また、この場合には、カバー部材９は、駆動用コイル２３が取り付けられるコイル取付部材である。なお、ケース体１６が磁性材料で形成されているのではあれば、駆動磁石２１はケース体１６に直接、取り付けられても良い。
【００５３】
上述した形態では、駆動用コイル２３の巻き始め部分が長辺部２３ｂと交差するように内周側から外周側に向かって引き出されて引出し部２３ｄが形成されている。この他にもたとえば、駆動用コイル２３の巻き終わり部分が長辺部２３ｂと交差するように内周側から外周側に向かって引き出されて引出し部２３ｄが形成されても良い。また、駆動用コイル２３の巻き始め部分または巻き終わり部分が短辺部２３ｃと交差するように内周側から外周側に向かって引き出されて引出し部２３ｄが形成されても良い。
【００５４】
上述した形態では、開口部１６ａは、略矩形状に形成されているが、開口部１６ａは、円形状、楕円形状あるいは多角形状等の他の形状に形成されても良い。また、上述した形態では、ケース体１６の側面の略中心に開口部１６ａが形成されているが、開口部１６ａは、引出し部２３ｄの配置位置に対応するように形成されれば良い。
【００５５】
上述した形態では、駆動用磁石２１は、第１磁石片２１ａと第２磁石片２１ｂとの２個の磁石片によって構成されている。この他にもたとえば、駆動用磁石２１は、１個の磁石片によって構成されても良い。
【図面の簡単な説明】
【００５６】
【図１】本発明の実施の形態にかかる撮影用光学装置の斜視図である。
【図２】図１のＥ−Ｅ断面の断面図である。
【図３】図１に示す駆動用コイルと開口部との関係を説明するための図である。
【図４】図１に示す駆動用コイルの結線状態を説明するための図である。
【符号の説明】
【００５７】
１  撮影用光学装置
２  レンズ駆動装置
４  センサ
６  揺動駆動機構
１６  ケース体（コイル取付部材）
１６ａ  開口部
２１  駆動用磁石
２３  駆動用コイル
２３ａ  巻回部
２３ｄ  引出し部
２４  導線
【図１】
2010096806.tif 000003
【図２】
2010096806.tif 000004
【図３】
2010096806.tif 000005
【図４】
2010096806.tif 000006